(57)【要約】【課題】偽造防止効果の高くしかも真贋の判定に、治具や検出器等の特別な装置を必要としない偽造防止技術である自己検証型潜像形成紙を提供する。【解決手段】検証用万線２が、前記潜像化万線３に重ね合わせたとき、潜像化万線３の潜像を顕像化させる機能を有するものであり、  紙基材１を半折りして重ね合わせたときに、前記潜像化万線３と前記検証用万線２とが重ね合わせられるようにこの両者が配置されており、  前記透かし印刷部５が、前記検証用万線２が設けられた位置と前記潜像化万線３が設けられた位置の少なくとも一方の位置に配置されている自己検証型潜像形成紙。【選択図】図１
2014223731.tif 000002
【特許請求の範囲】
【請求項１】
紙基材に、検証用万線、潜像化万線及び透かし印刷部を設けて構成される自己検証型潜像形成紙であって、
前記潜像化万線がバックグランドと、このバックグランドの一部に設けられた潜像から構成されており、かつ、前記バックグランドが前記検証用万線と同一の万線で構成され、潜像が前記バックグランドの万線のピッチ或は線幅を変化させた万線で構成されており、
前記検証用万線が、前記潜像化万線に重ね合わせたとき、潜像化万線の潜像を顕像化させる機能を有するものであり、
紙基材を半折りして重ね合わせたときに、前記潜像化万線と前記検証用万線とが重ね合わせられるようにこの両者が配置されており、
前記透かし印刷部が、前記検証用万線が設けられた位置と前記潜像化万線が設けられた位置の少なくとも一方の位置に配置されていることを特徴とする自己検証型潜像形成紙。
【請求項２】
前記請求項１に記載の自己検証型潜像形成紙において、
前記透かし印刷部のパターンが複数の分割パターンに分割されて設けられており、
紙基材を半折りして重ね合わせたとき、複数のこれら分割パターンが合成されて前記透かし印刷部のパターンが復元されるように、複数の前記分割パターンが配置されていることを特徴とする自己検証型潜像形成紙。
【発明の詳細な説明】
【技術分野】
【０００１】
紙幣等の有価証券類に用いられる偽造防止技術に関し、真贋の判定に、検証装置等の特別な検出器を必要としない自己検証型潜像形成紙に関する。
【背景技術】
【０００２】
従来、株券、商品券さらにはクレジットカード等の、有価証券類の他、商品用の封印シールやタグ類に至るまで偽造・複製による不正使用を防止するため、精巧な印刷技術による印刷等が施されているのが一般的であった。
【０００３】
しかしながら、近年の偽造・複製による不正使用が頻発していることから、これら精巧な印刷等に加え特殊な偽造防止策が施されるようになってきた。
【０００４】
この特殊な偽造防止策として、例えばホログラムを貼付けたり、紫外線で発色する材料や画像を施して紫外線照射で真偽判定をする方法などがある。
【０００５】
また、金属箔層に万線方向が異なる万線状凹凸パターン群が複数集合したエンボスパターンを形成したもので、見る角度を変化させると万線状凹凸パターン群の濃淡や輝きが変化する所謂オパール効果を有する画像体として有価証券類等に貼付けたりする方法がある。
【０００６】
また、偽造防止技術として、透かしが使われている。この透かし技術は、用紙抄造時に用紙の部分的な薄厚を形成するものであるが、印刷透かしは、抄造することなく、透かしインキを用いる事で、用紙の透過率を変化させるもので、用紙を光にかざすと濃淡が再現され、文字や絵柄を表現するものである。
【０００７】
この透かしは、用紙を抄造する時に、用紙に濃淡を形成するもので、偽造防止機能としての効果は高いものの、特別な装置が必要である。一方、透かしインキは、汎用性があり、偽造防止用途に市販されている。
【０００８】
透かしインキは、透かし模様の印刷をオフセット等の印刷方式で設けることを可能としたインキで、常温では固化しない液状の樹脂成分が、紙に浸透し、光の透過率を変えることで透かし模様を印刷で形成することできるものや、オレフィンオリゴマーを揮発させることなく紙に浸透させ、透かし模様を印刷で形成する方法として提案されている（特許文献１）。
【０００９】
透かしは、治具や検出器を必要とせずに検証が可能であり、古くから偽造防止として、使われてきたが、透かしインキの開発により、透かしだけでは、偽造防止として不十分となってしまっている。
【００１０】
一方、印刷による細かい万線パターン等で構成された、目視では判り難い潜像部に対して、潜像を浮かび上がらせるのに必要な透明な万線フィルターを重ね合わせ、モアレ効果（同ピッチ、線幅）を用いて潜像部に構成されている文字や絵柄を再現する偽造防止技術があり、さらに、偽造防止効果を上げるために、変形万線パターンを使うことが提案されている（特許文献２）。
【００１１】
図４は、万線モアレによる偽造防止方法を説明した概念図であり、紙基材１上に、潜像化万線３が印刷形成されている。これは、規則正しく並んだ点や線が重なり合った時に発
生する縞状の斑紋「モアレ現象」を利用して文字や画像を浮き上がらせるもので、そのままでは、その潜像は見ることはできないが、検証用万線２が印刷された透明フィルム７を、かざすことにより、顕像化した潜像４を見ることができるものである。
【００１２】
潜像化した万線４は、幅がほぼ１対１の潜像部と非潜像部からなっており、その万線が潜像部と非潜像部で位相１／２ピッチずらしてある。非潜像部と同形状の検証用万線２を透明フィルム上に設け、潜像化した万線３に、検証用万線２を設けた透明フィルム７を重ね合わせると、非潜像部がこの透明フィルム７の検証用万線２に隠され、潜像部のみが像として浮かび上がって見えるようになり、この潜像部の像の有無で真偽判定をする「万線モアレ方式」という技術を用いた方法である。
【００１３】
しかしながら、顕像化した潜像４を見るためには、検証用万線２が印刷された透明フィルム７が必要であり、検証用万線２が印刷された透明フィルム７がなければ真贋の判断ができない。
【先行技術文献】
【特許文献】
【００１４】
【特許文献１】特開２０００−２９０５７１号公報
【特許文献２】特開２００４−１７４８８０号公報
【発明の概要】
【発明が解決しようとする課題】
【００１５】
本発明はかかる事情を鑑みてなされたものであり、偽造防止効果の高く、しかも真贋の判定に、判定治具や検出器等の特別な装置を必要としない偽造防止技術として、自己検証型紙を提供することにある。
【課題を解決するための手段】
【００１６】
上記の課題を解決するための手段として、請求項１に記載の発明は、紙基材に、検証用万線、潜像化万線及び透かし印刷部を設けて構成される自己検証型潜像形成紙であって、
前記潜像化万線がバックグランドと、このバックグランドの一部に設けられた潜像から構成されており、かつ、前記バックグランドが前記検証用万線と同一の万線で構成され、潜像が前記バックグランドの万線のピッチ或は線幅を変化させた万線で構成されており、
前記検証用万線が、前記潜像化万線に重ね合わせたとき、潜像化万線の潜像を顕像化させる機能を有するものであり、
紙基材を半折りして重ね合わせたときに、前記潜像化万線と前記検証用万線とが重ね合わせられるようにこの両者が配置されており、
前記透かし印刷部が、前記検証用万線が設けられた位置と前記潜像化万線が設けられた位置の少なくとも一方の位置に配置されていることを特徴とする自己検証型潜像形成紙である。
【００１７】
また、請求項２に記載の発明は、前記請求項１に記載の自己検証型潜像形成紙において、
前記透かし印刷部のパターンが複数の分割パターンに分割されて設けられており、
紙基材を半折りして重ね合わせたとき、複数のこれら分割パターンが合成されて前記透かし印刷部のパターンが復元されるように、複数の前記分割パターンが配置されていることを特徴とする自己検証型潜像形成紙である。
【発明の効果】
【００１８】
検証時に専用フィルターなどの特殊な検証器具を必要とせずに、万線潜像を検証でき、透かしが用いられていることから、コピー機による偽造を、牽制できる低コストの偽造防
止媒体を提供できる。
【図面の簡単な説明】
【００１９】
【図１】本発明の、潜像化万線と透かしを印刷部、検証用万線からなる自己検証型潜像形成紙を示した外観観念図と、紙基材を半折した時に、顕像化される潜像を示した自己検証型潜像形成紙の概念図である。
【図２】本発明の、自己検証型潜像形成紙と印刷透かしのパターンを分割して設けたときの外観概念図と、紙基材を半折した時に、顕像化される潜像と、分割前の印刷透かしのパターンの復元を示した自己検証型潜像形成紙の概念図である。
【図３】本発明の、印刷透かしのパターンを分割して設け紙基材を半折した時に、分割前の印刷透かしのパターンの復元を示した概念図である。
【図４】従来の、検証用万線フィルムを用いて、潜像を顕像化させた状態を示した概念図である。
【発明を実施するための形態】
【００２０】
以下本発明を実施するための形態を、図面を用いて詳細に説明する。図１は、本発明の自己検証型潜像形成紙であり、基材（紙）１に、透かしが設けられている。
【００２１】
紙基材１は、折線６部分で、半折され、二重に重ね合わされる。透かしは、透かしインキを用い、基材（紙）１に印刷により設けられるが、一方又は両方に設けても良い。
【００２２】
紙基材の上部となる紙基材の部分と、下部となる紙基材の部分の透かし印刷部５に、潜像化万線３、あるいは検証用万線２のどちらかを設ける。前記潜像化万線３は、検証用万線２と検証用万線と同一の万線であるバックグランドの一部のピッチあるいは線幅を変化させた万線によって形成されている。
【００２３】
潜像化万線３は、ほぼ１対１の幅の潜像万線と検証用万線と同一の万線であるバックグランドからなっており、その位相が、１／２ピッチずらしてあり、紙基材１の上部となる紙基材１の部分あるいは下部となる紙基材のどちらかに印刷された検証用万線２と重ね合わせると、潜像化万線３のバックグラウンドが、重ね合わした検証用万線２で隠され、潜像のみが像として浮かび上がって見えるようになる。
【００２４】
即ち、半折して、二重に重ね合わせると、潜像化万線３と検証用万線２とが重なり、紙基材を光にかざすと、顕像化した潜像４を見ることができる。
【００２５】
透かしインキとしては、一例として、透かしインキ（Ｔ＆Ｋ  ＴＯＫＡ社製）等を使用することができる。透かしインキは、常温では固化しない液状の樹脂成分が紙に浸透し、光の透過率を上昇させるものであり、紙基材１の上部となる紙基材１の部分と、下部となる紙基材１の部分の両方に設けた方が、透過率は高く、潜像が見易くなる。
【００２６】
図２は、印刷透かしのパターンを分割し、自己検証型紙と共に設け、紙基材１を半折した時に、潜像の顕像化と、分割前の印刷透かしのパターンの復元とを示した概念図であり、図３は、印刷透かしのパターン分割と、印刷透かしのパターンの復元のみを示している。
【００２７】
潜像の万線のピッチやパターンは、非常に複雑で細かい万線で構成されている。検証時に、透明フィルムに設けられた検証用万線を用いると、角度による位置合わせ等、フィルター合わせが難しいケースが有るが、本発明では折線が定められているため、検証時に潜像の顕像化が容易である。
【００２８】
本発明により、真贋判定治具や検出器等の特別な装置を必要とせずに、自己検証型の潜像とすることができるだけでなく、紙基材では、紙繊維により遮光性が高くなり過ぎ、一枚の紙基材を半折して重ね合わせ、光にかざしても、顕像化した潜像をはっきりと見ることが難しいが、潜像部分に、透かしインキパターンを設けることにより、紙基材の透過性があがり、顕像化した潜像を見ることが可能となった。
【００２９】
さらに、透かしインキパターンを分割して設け、紙基材を半折して重ね合わせた時に、分割前のパターンを復元されることにより、偽造防止性を高めることができる。
【００３０】
透かしおよび、細かく均一でない万線は、コピー機による再現が難しく、これらを組み合わせることになるため、偽造防止効果か高く、しかも真贋判定治具や検出器等の特別な装置を必要としない自己検証型潜像形成紙である。
【符号の説明】
【００３１】
１・・・基材（紙）
２・・・検証用万線
３・・・潜像化万線
４・・・顕像化した潜像
５・・・透かし印刷部
６・・・折線
７・・・透明フィルム
【図１】
2014223731.tif 000003
【図２】
2014223731.tif 000004
【図３】
2014223731.tif 000005
【図４】
2014223731.tif 000006